(57)【要約】【課題】ヒップの発育を妨げず綺麗なヒップラインが成長とともに形作れる子供用育成パンツを提供する。【解決手段】前身頃２と後身頃３とを周方向に連続して有し、上縁部にウエストバンド部１７を、下縁部に裾部１８をそれぞれ有する。パンツ本体１は、弾性糸を含む伸縮性編地からなる。後身頃３は、ヒップの膨らみに沿ってヒップの下方から左右側上方へ向けて形成され、他の部位と比べて最も緊締力の強いヒップアップ部１５と、ヒップアップ部１５の上方においてヒップの膨らみ頂部周囲をそれぞれ覆う左右２つの頂部カバー部１４・１４とを有する。そして、頂部カバー部１４以外の部位は着用者の身体にフィットするが、頂部カバー部１４のみはヒップに密接しない程度のたるみを有するように形成されていることを特徴とする。【選択図】図２
2010084305.tif 000002
【特許請求の範囲】
【請求項１】
前身頃と後身頃とを周方向に連続して有し、前記前身頃と後身頃に亘ってパンツ主体部の上縁部にウエストバンド部を、下縁部に裾部をそれぞれ有する子供用育成パンツであって、
前記前身頃及び後身頃は、弾性糸を含む伸縮性編地からなり、
前記後身頃は、ヒップの膨らみに沿ってヒップの下方から左右側上方へ向けて形成され、他の部位と比べて最も緊締力の強いヒップアップ部と、該ヒップアップ部の上方においてヒップの膨らみ頂部周囲をそれぞれ覆う左右２つの頂部カバー部とを有し、
前記頂部カバー部以外の部位は着用者の身体にフィットするが、前記頂部カバー部のみはヒップに密接しない程度のたるみを有するように形成されていることを特徴とする、子供用育成パンツ。
【請求項２】
前記頂部カバー部の緊締力は他の部位と比べて最も弱い、請求項１に記載の子供用育成パンツ。
【請求項３】
前記後身頃は、前記頂部カバー部を囲むように形成されたリング状の緩衝部を有し、
前記緩衝部の緊締力は、前記頂部カバー部よりも強く前記主体部よりも弱い、請求項１または請求項２に記載の子供用育成パンツ。
【請求項４】
前記主体部は、腰に近い上方主体部と太腿に近い下方主体部とに分かれ、
前記下方主体部の緊締力は前記上方主体部の緊締力よりも弱い、請求項１ないし請求項３のいずれかに記載の子供用育成パンツ。
【請求項５】
前記前身頃の左右中央部には前記上方主体部が形成されておらず、上方から下方にかけて前記下方主体部で形成されている、請求項４に記載の子供用育成パンツ。
【請求項６】
前記ヒップアップ部の下縁からは、該ヒップアップ部よりも水平方向に対して浅い角度で左右側上方向へ延びるサブヒップアップ部が、前記後身頃から前身頃にかけて形成されている、請求項１ないし請求項５のいずれかに記載の子供用育成パンツ。
【請求項７】
前記サブヒップアップ部の存在する部分では、該サブヒップアップ部を介して前記上方主体部と下方主体部とが区画され、
前記サブヒップアップ部の緊締力は、前記上方主体部の緊締力より弱く前記下方主体部の緊締力より強い、請求項６に記載の子供用育成パンツ。
【請求項８】
前記ウエストバンド部における前記前身頃の左右中央部は、該ウエストバンド部における他の部位に比べて上下幅寸法が小さくなっている、請求項１ないし請求項７のいずれかに記載の子供用育成パンツ。
【請求項９】
前記下方主体部の緊締力をＴ１、前記上方主体部の緊締力をＴ２、前記緩衝部の緊締力をＴ３、前記頂部カバー部の緊締力をＴ４、前記ヒップアップ部の緊締力をＴ５、前記サブヒップアップ部の緊締力をＴ６、前記ウエストバンド部の緊締力をＴ７、前記裾部の緊締力をＴ８とすると、
各部位における緊締力の相対的な強弱が、
Ｔ４＜Ｔ３＜Ｔ１＜Ｔ８＜Ｔ６＜Ｔ２＜Ｔ７＜Ｔ５
の関係を満たす、請求項６ないし請求項８のいずれかに記載の子供用育成パンツ。
【請求項１０】
前記前身頃の左右中央部には、マチ部から上方に向けて拡がる逆三角枠状に設けられたサポート部を有し、
前記サポート部の緊締力は、前記下方主体部の緊締力よりも強い、請求項５ないし請求項９のいずれかに記載の子供用育成パンツ。
【請求項１１】
前記各部位における緊締力は、該各部位の編方を変えることでそれぞれ異ならせている、請求項１ないし請求項１０のいずれかに記載の子供用育成パンツ。
【請求項１２】
前記ウエストバンド部には、他の部位よりも弾性力の強い弾性糸が使用されている、請求項１ないし請求項１１のいずれかに記載の子供用育成パンツ。
【請求項１３】
前記裾部には、他の部位よりも弾性力の弱い弾性糸が使用されている、請求項１ないし請求項１２のいずれかに記載の子供用育成パンツ。
【請求項１４】
前記パンツは、天然繊維系の糸と弾性糸とによって編成されており、
着用者の肌に当たる裏面には前記天然繊維系の糸が主として現れる、請求項１ないし請求項１３のいずれかに記載の子供用育成パンツ。
【発明の詳細な説明】
【技術分野】
【０００１】
本発明は、ヒップアップ機能を有する子供用育成パンツに関する。詳しくは、子供の発育過程において、ヒップアップ効果を維持しながらヒップの成長を阻害することなく、綺麗なヒップラインを有するヒップを育てられる子供用育成パンツに関する。
【背景技術】
【０００２】
従来から、前身頃と後身頃とを周方向に連続して有する弾性糸を含む伸縮性編地からなり、パンツ主体部の上縁部にウエストバンド部を、下縁部に裾部をそれぞれ有し、ヒップアップ効果によりヒップラインを綺麗に補正するための補正下着が数多く提案されている。このような補正下着には大きく分けて２つの形態がある。１つは、伸縮性を有するパンツ本体の所定箇所に、パンツ本体とは別に当て布あるいは裏打ち布をパンツ本体に縫着する形態である。他の１つは、伸縮性や緊締力の異なる複数の編地部分を所定箇所に適切に配分する形態である。しかし、当て布等を縫着する形態では、当て布等が生地に積層されるので部分的に厚さが異なると共に、当て布等とパンツ本体との境界部分で緊締力が急激に変化するので、良好な体形補整機能を実現し難く履き心地にも問題がある。また、縫着に手間と時間を要するので、コスト的にも課題がある。
【０００３】
これに対し、伸縮性や緊締力などの異なる編地部を混在させる手法では、上記のような問題が少ない。このような補正下着としては、例えば特許文献１及び特許文献２がある。特許文献１の補正下着は、丸編機によって部分的に弾力性（伸縮性）の異なる弾性糸を使い分けた緊締力の異なる一連の編地を編成しており、ヒップの膨らみに沿ってヒップの下方から左右側上方へ向かうライン状のヒップアップ部を有する。特許文献２の補正下着はシームレスとなっており、各部位の編み方を異ならせることで部分的に緊締力を変更して、左右の膨らみの間からヒップ膨らみの下方へ亘る碇型のヒップアップ部を有し、個々左右の膨らみに対応させてそれぞれ弱・中・強の各浮き編み部を形成している。
【０００４】
また、生地の伸縮性によるものではないが、パッドによってヒップアップを図った補正下着として特許文献３がある。特許文献３の補正下着は後身頃を有袋２重構造にし、当該後身頃の袋内にヒップアップ効果を果たすパッド（擬似臀部形成体）を収容している。この補正下着は乳幼児用のパンツとしても使用可能とされている。しかし、当該乳幼児用のパンツとする場合は、大人用のパッドよりもかなり背中側に突出する別の形成体を収容して、床に座っている状態において後方へ転倒することを回避するためにすぎない。
【０００５】
また、上記特許文献１ないし特許文献３の補正下着は、基本的に体型が出来上がった大人用であり、これらは全て下腹部の締め付け（押さえ付け）機能も有する。
【０００６】
【特許文献１】特開２００６−３７２４８号公報
【特許文献２】実開平７−６２０６号公報
【特許文献３】特開２００７−１５４３９４号公報
【発明の開示】
【発明が解決しようとする課題】
【０００７】
このように、これらの補正下着はいずれも大人用であり、発育過程にある子供用として好適な補正下着は存在しなかった。大人用の補正下着は、膨らみ頂部を含めてヒップ全体に生地（編地）を密接させ、既に末広がり状に垂れ下がったヒップラインを強制的に締め上げる（吊り上げる）構造となっており、かつ下腹部を強制的に締め付けるので、発育途中にある子供に対して好適ではない。大人用の補正下着を発育途中にある子供が着用すると、次のような問題がある。
【０００８】
まず、膨らみ頂部を含めてヒップ全体が締め付け（押し付け）られるので、ヒップの成長が阻害されてしまうという大きな問題が生じる。そのうえ、発育途中でヒップが膨らんでくると、これを潰すように作用する力が大きくなる。また、既に垂れ下がったヒップを強制的に締め上げるための強い緊締力を確保するため、主として合成樹脂系の弾性糸で編成されているので、一般的な綿主体の下着に慣れている子供にとっては綿とは異なる風合いで違和感が大きい。また、子供は本来的に大人より下腹部が出っ張る傾向にあるが、子供のうちから下腹部を強制的に引っ込ませることは健康的にも悪く、無理に引っ込ませれば成長が阻害されると共に履き心地が悪く苦しい。
【０００９】
一方、従来の子供用パンツは綿製のいわゆるカボチャパンツで、ヒップラインが崩れ易い。カボチャパンツは全体的に緊締力が均一であり、サイドの硬めの部位やヒップの膨らみ頂部などを含めてヒップ全体をほぼ均一な緊締力で締め付けることになり、発育途中でヒップが膨らんできても潰れてしまう。しかも、従来の大人用補正下着であれば、発育途中で膨らんできたヒップがさらに潰されてしまう。つまり、発育途中にある子供のヒップラインを整えるためには、単に補正パンツで強制的に補正するのではなく、発育途中という特殊な体型に的確に対応させて綺麗なヒップラインを形成（育成）できる育成パンツとする必要がある。
【００１０】
そこで、本発明は上記課題を解決するものであって、大人用の補正下着とはその目的や構成が根本的に異なり、左右の膨らみを個々にサポートしながら、ヒップの発育を妨げず綺麗なヒップラインが成長ともに形作れる子供用育成パンツを提供することを目的とする。
【課題を解決するための手段】
【００１１】
本発明の育成パンツは、子供用である点が注目される。当該子供用育成パンツは、前身頃と後身頃とを周方向に連続して有し、前身頃と後身頃に亘ってパンツ主体部の上縁部にウエストバンド部を、下縁部に裾部をそれぞれ有する。前身頃及び後身頃は、弾性糸を含む伸縮性編地からなる。そのうえで、後身頃は、ヒップ（臀部）の膨らみに沿ってヒップの下方から左右側上方へ向けて形成されたヒップアップ部と、該ヒップアップ部の上方においてヒップの膨らみ頂部周囲をそれぞれ覆う左右２つの頂部カバー部とを有する。ヒップアップ部は、他の部位と比べて最も緊締力が強い。なお、本発明における緊締力の強弱は、他の部位と比べた相対的な強さであり、一般的なパンツや補正下着と比べた強弱ではない。そのうえで、頂部カバー部以外の部位は、伸縮性編地からなることによって着用者の身体にフィットするが、頂部カバー部のみは、ある程度の伸縮性は有するが、ヒップに密接しない程度のたるみを有するように形成されていることを特徴とする。すなわち、頂部カバー部用の編地の面積が、後身頃において頂部カバー部用に確保された面積よりも大きく形成されている。なお、本育成パンツを着用したときに頂部カバー部が着用者のヒップに密接していなければよく、頂部カバー部がヒップに当接することを否定するものではない。頂部カバー部の緊締力は、他の部位と比べて最も弱いことが好ましい。
【００１２】
また、後身頃に頂部カバー部を囲むように形成されたリング状の緩衝部を設けて、当該緩衝部の緊締力を、頂部カバー部よりも強く主体部よりも弱くすることが好ましい。また、主体部を腰に近い上方主体部と太腿に近い下方主体部とに分けて、下方主体部の緊締力を上方主体部の緊締力よりも弱くすることが好ましい。また、前身頃の左右中央部には上方主体部を形成せずに、上方から下方にかけて下方主体部で形成することが好ましい。
【００１３】
また、ヒップアップ部の下縁から、該ヒップアップ部よりも水平方向に対して浅い（小さい）角度で左右側上方向へ延びるサブヒップアップ部を、後身頃から前身頃にかけて形成することが好ましい。このとき、サブヒップアップ部の存在する部分では、該サブヒップアップ部を介して上方主体部と下方主体部とが区画されるようにし、サブヒップアップ部の緊締力を、上方主体部の緊締力より弱く下方主体部の緊締力より強くすることが好ましい。また、ウエストバンド部における前身頃の左右中央部は、該ウエストバンド部における他の部位に比べて上下幅寸法を小さくすることが好ましい。ここまで挙げた上記の各部位は、必要に応じて適宜組み合わせて設ければよいが、上記各部位の全てを子供用育成パンツに設ける場合は、下方主体部の緊締力をＴ１、上方主体部の緊締力をＴ２、緩衝部の緊締力をＴ３、頂部カバー部の緊締力をＴ４、ヒップアップ部の緊締力をＴ５、サブヒップアップ部の緊締力をＴ６、ウエストバンド部の緊締力をＴ７、裾部の緊締力をＴ８とすると、これら各部位における緊締力の相対的な強弱が、
Ｔ４＜Ｔ３＜Ｔ１＜Ｔ８＜Ｔ６＜Ｔ２＜Ｔ７＜Ｔ５
の関係を満たすように設計することが好ましい。
【００１４】
また、前身頃の左右中央部に、マチ部から上方に向けて拡がる逆三角枠状のサポート部を設けて、当該サポート部の緊締力を、下方主体部の緊締力よりも強くすることが好ましい。上記各部位における緊締力は、使用する弾性糸の種類を変更することで異ならせることもできるが、当該各部位の編み方を変えることでそれぞれ異ならせることが好ましい。
【００１５】
そのうえで、ウエストバンド部には、他の部位よりも弾性力の強い弾性糸を使用することが好ましい。一方、裾部には、他の部位よりも弾性力の弱い弾性糸を使用することが好ましい。本発明の育成パンツは、天然繊維系の糸と弾性糸とによって編成することができるが、裏面には天然繊維系の糸が主として現れるように編成することが好ましい。
【発明の効果】
【００１６】
本発明の育成パンツは、頂部カバー部以外の部位は伸縮性編地によって着用者の身体にフィットするので、一般的なパンツに比べてストレスなくフィット感に優れる。また、頂部カバー部を左右２つ設けているので、左右の膨らみを別個にサポートすることができる。ヒップアップ部は他の部位と比べて最も緊締力が強いので、ヒップを確実に支えて綺麗なヒップラインを形成できる。そのうえで、頂部カバー部のみはヒップに密接しない程度のたるみを有するように形成されているので、全体的には身体にフィットしてヒップアップ効果を的確に確保しながらも、頂部周辺は空間的余裕があるので、ヒップの成長を許容でき、ヒップの発育を妨げることが避けられる。また、発育中に履く事で無理な圧力を加えず包み込むようにヒップアップできる。
【００１７】
頂部カバー部の緊締力が他の部位と比べて最も弱ければ、パンツ着用時に頂部カバー部がある程度ヒップに接しても、最も緊締力が弱いことで膨らみが締め付けられて発育が妨げられることを避けられる。
【００１８】
頂部カバー部よりも緊締力が強く主体部よりも緊締力が弱いリング状の緩衝部を有していれば、緊締力が最弱の部位からある程度緊締力の強い部位へ段階的に緊締力が変化するので、主体部の緊締力が膨らみ頂部へ作用して締め付けられることが避けられると共に、パンツに無理な応力が作用して皺が寄り、履き心地を損ねることも避けられる。
【００１９】
主体部が、相対的に緊締力の強い上方主体部と相対的に緊締力の弱い下方主体部とに分かれていれば、上方主体部によってヒップアップ効果を確実にサポートしながら身体に的確にフィットさせられると共に、大腿部の上部を覆う下方主体部領域は動き易く無駄な圧迫感も与えない。
【００２０】
前身頃の左右中央部が緊締力の弱い下方主体部で形成されていれば、成人に比べて下腹部が比較的膨らんでいる子供の体型に合致させられる。これにより、下腹部が圧迫されないので、着心地が良く発育も阻害され難い。この点も、大人用の補正下着ではなく子供用の育成パンツであることの大きな特徴である。
【００２１】
ヒップアップ部の下縁から前身頃にかけて、浅い角度で左右側上方向へ延びるサブヒップアップ部を形成していれば、ヒップの下方のみならず側方からもヒップアップでき、ヒップラインをより綺麗に形成し易くなる。
【００２２】
サブヒップアップ部の存在する部分では、該サブヒップアップ部を介して上方主体部と下方主体部とが区画され、かつサブヒップアップ部の緊締力が、上方主体部の緊締力より弱く下方主体部の緊締力より強ければ、上下主体部の間に中間緊締力のサブヒップアップ部が介在しているので、上方主体部の緊締力と下方主体部の緊締力を段階的に変化させられる。延いては、パンツに無理な応力が作用してパンツに皺が寄り、履き心地を損ねることも避けられる。
【００２３】
ウエストバンド部の前身頃左右中央部が他の部位に比べて上下幅寸法が小さくなっていれば、下腹部の圧迫をより確実に避けられると共に履き心地も良い。一方、他の部位はある程度の上下幅寸法を有するので、パンツが腰において確実に保持されてズレ落ちが避けられる。
【００２４】
上記各部位を全て設ける場合、各緊締力が
Ｔ４＜Ｔ３＜Ｔ１＜Ｔ８＜Ｔ６＜Ｔ２＜Ｔ７＜Ｔ５
の関係を満たすように設計すれば、無理な圧迫をさけて履き心地を良好にしながら、子供の発育に合わせて綺麗なヒップラインを形成するために最適な緊締力の強弱関係となる。これにより、各部位の相乗効果によってヒップアップ効果の確保、発育阻害回避、履き心地のよさ、動きやすさ等を効果的に担保できる。
【００２５】
前身頃の左右中央部が緊締力の比較的弱い下方主体部で構成されていると、下腹部の肉が大腿部の方へ垂れてしまうことがあり、パンツ形状のメリハリもなくなってヒップアップ機能が低下するおそれもある。そこで、前身頃の左右中央部に、下方主体部の緊締力よりも強い逆三角枠状のサポート部を設けていれば、サポート部によって下腹部の肉を確り保持しながら、パンツ形状にメリハリも付いて確実なヒップアップ機能を確保できる。
【００２６】
各部位における緊締力を、該部位の編み方を変えることでそれぞれ異ならせていれば、無縫製でシームレスとなり、縫製部分が肌に当たるゴロゴロ感がない。また、縫製の手間が省けるので生産性も高められる。
【００２７】
ウエストバンド部に他の部位よりも弾性力の強い弾性糸を使用していれば、編み方を異ならせた緊締力の相違と相俟って、より的確にパンツを腰にフィットさせられる。
【００２８】
一方、裾部には他の部位よりも弾性力の弱い弾性糸を使用していれば、編み方を異ならせた緊締力の相違と相俟って、脚（大腿部）に的確にフィットさせながらも無理に圧迫されず、動き易く履き心地が良い。
【００２９】
パンツを天然繊維系の糸と弾性糸とによって編成したうえで、裏面に天然繊維系の糸が主として現れるようにしてあれば、弾性糸によって適度な伸縮性を担保しながらも、一般的な綿製のパンツと同じ感覚（風合い）で着用でき、違和感を緩和できる。
【発明を実施するための最良の形態】
【００３０】
以下に、適宜図面を参照しながら、本発明の最良の形態となる実施例について説明するが、当該実施例はほんの一例であって、本発明の趣旨を逸脱しない範囲で種々の変形が可能であることはいうまでもない。特に、以下に説明する各部位は、その全部を有することが最良ではあるが、少なくとも成長と共に綺麗なヒップラインを形成できる構成であれば、その内の一部のみを有する構成とすることもできる。また、本発明の育成パンツは、各部位の編組織（編み方）や弾性糸の種類を適宜変更することでそれぞれの緊締力を異ならせているが、当該各部位の緊締力の相対強弱関係さえ本発明の趣旨に沿うものであれば、具体的な編組成等は特に限定されず、以下の実施例の他にも種々の変更が可能である。図１は、育成パンツの正面図であり、前身頃の構成がよく示されている。図２は、育成パンツの背面図であり、後身頃の構成がよく示されている。図３は、育成パンツを着用した状態の側面図である。
【００３１】
本発明の育成パンツ１は発育途中の子供用である。着用対象となる子供としては、発育過程にある子供であれば特に限定されず、オムツを卒業して一般的なパンツに移行した子供から成長がほぼ落ち着いた子供までが含まれる。主な着用対象は小、中、高校生である。
【００３２】
図１及び図２に示されるように、パンツ本体１は、前身頃２と後身頃３とを周方向に連続して有し、前身頃２及び後身頃３に亘ってパンツ本体１の主体を成す主体部の上縁部にウエストバンド部１７を、下縁部に左右２つの裾部１８をそれぞれ有する。左右の裾部１８には、着用者の股を覆うマチ部２０が縫着されている。パンツ本体１は、丸編機によって弾性糸Ｌ１と天然繊維系の糸Ｌ２とを混編した弾性糸Ｌ１を含む伸縮性編地から成り、ヒップの発育を妨げずに綺麗なヒップラインを成長ともに形作るに適した構成となるように各部位の緊締力が設計されている。以下、パンツ本体１の構成について詳しく説明する。
【００３３】
図２に示されるように、後身頃３は、主体部１１・１２と、ヒップアップ機能を有するヒップアップ部１５と、ヒップアップ部１５の上方においてヒップの膨らみ頂部周囲を覆う頂部カバー部１４とを有する。ヒップアップ部１５は、ウエストバンド部１７から左右のヒップの膨らみの間を上下方向に抜けて、ヒップの膨らみに沿ってヒップの下方から左右両側上方へ延びる碇型に形成されている。ヒップアップ部１５はウエストバンド部１７から延びていることで、上方への吊り上げ力が確実に生じる。なお、ヒップアップ部１５の緊締力（弾性による締め付け力）Ｔ５は、他の部位と比べて最も強い。頂部カバー部１４は、左右の膨らみを個々にカバーするよう、左右２箇所に形成されている。そのうえで、図３にも示されるように、育成パンツ１を着用した際、頂部カバー部１４以外の部位は着用者の身体にフィットするが、頂部カバー部１４のみはヒップに密接しない程度のたるみを有するように形成されている。なお、頂部カバー部１４の緊締力は、他の全ての部位と比べて最も弱い。
【００３４】
また、後身頃３には、頂部カバー部１４を囲むリング状の緩衝部１３を有する。当該緩衝部１３の緊締力Ｔ３は、頂部カバー部１４の緊締力Ｔ４よりも強く主体部１１・１２の緊締力Ｔ１・Ｔ２よりも弱い。この緩衝部１３の存在によって、頂部カバー部１４の緊締力Ｔ４と主体部１１・１２の緊締力Ｔ１・Ｔ２との差が段階的に変化緩衝され、パンツ本体１の保形性も向上する。
【００３５】
また、ヒップアップ部１５の下縁からは、該ヒップアップ部１５よりも水平方向に対して浅い角度で左右側上方向へ延びるサブヒップアップ部１６が、後身頃３から前身頃２にかけて形成されている。一方、主体部は、ヒップアップ部１５及びサブヒップアップ部１６を介して、腰に近い上方主体部１２と太腿に近い下方主体部１１とに区分けされる。上方主体部１２はウエストバンド部１７に連続し、下方主体部１１は裾部１８に連続する。下方主体部１１の緊締力Ｔ１は、上方主体部１２の緊締力Ｔ２よりも弱い。そのうえで、サブヒップアップ部１６の緊締力Ｔ６は、上方主体部１２の緊締力Ｔ２より弱く下方主体部１１の緊締力Ｔ１より強い。このサブヒップアップ部１６の存在によって、着用者の左右両側方からもヒップアップ効果が補佐的に確保されると共に、下方主体部１１の緊締力Ｔ１と上方主体部１２の緊締力Ｔ２との差が段階的に変化緩衝され、パンツ本体１の保形性も向上する。また、デザイン的要素も有し、意匠性も向上する。
【００３６】
一方、前身頃２の左右両側方も下方主体部１１と上方主体部１２とに分かれているが、図１に示すように、前身頃２の左右中央部には上方主体部１２が形成されておらず、パンツ本体１上方のウエストバンド部１７の下縁からパンツ本体１下方のマチ部２０にかけて下方主体部１１で構成されている。そのうえで、前身頃２の左右中央部には、マチ部から上方に向けて拡がる逆三角枠状に設けられたサポート部１９を有する。サポート部１９の傾斜ラインは、概ね股関節に沿っている。当該サポート部１９の緊締力Ｔ９は、上方主体部１２の緊締力Ｔ２より弱く下方主体部１１の緊締力Ｔ１より強い。このように、前身頃２の左右中央部にある下方主体部１１がサポート部１９で囲まれていることによって、着用者の下腹部のたるみを防ぐと共に、下方主体部１１の緊締力Ｔ１と上方主体部１２の緊締力Ｔ２との差が段階的に変化緩衝され、パンツ本体１の保形性も向上する。当該サポート部１９もデザイン的要素を含み、意匠性も向上する。
【００３７】
また、ウエストバンド部１７における前身頃２の左右中央部の上下幅寸法Ｈ２は、該ウエストバンド部１７における他の部位に比べて最も小さく、後身頃３へ向けて徐々に上下幅寸法が大きくなっていき、ウエストバンド部１７における後身頃３の左右中央部の上下幅寸法Ｈ３が最も大きくなっている（図３参照）。
【００３８】
上記各部位１１〜１９の各緊締力Ｔ１〜Ｔ９は、基本的には当該各部位１１〜１９の編み方（編組織）を変えることでそれぞれ異ならせている。本実施例のパンツ本体１は、ダイアルとシリンダーを使用したダブル選針を有する丸編機によって弾性糸Ｌ１と天然繊維系の糸Ｌ２とで連続的に経編されており、シームレスとなっている。シームレスな立体構造であることで、縫製部分によるゴロゴロ感がなく、履き心地がよい。天然繊維系の糸Ｌ２としては、代表的には綿が挙げられ、レーヨンなどの半天然繊維でも良い。天然繊維系の糸Ｌ２は、樹脂系の弾性糸Ｌ１と比べて吸水性及び風合いがよい。本実施例では、８０番手の単糸からなる綿糸を使用した。
【００３９】
一方、弾性糸Ｌ１としては適度な弾力性（伸縮性）を有する糸であれば特に限定されないが、本実施例では、ポリウレタンを芯にしてナイロン、ポリエステル等の糸を巻きつけた、カバーリングヤーン(フィラメント・ツイスティッド・ヤーン、ＦＴＹ)を使用した。なお、本実施例においては、弾性糸Ｌ１として、基本的には７８デシテックス（７８Ｔ）の弾性糸を使用しているが、ウエストバンド部１７には、７８Ｔの弾性糸より弾性力の強い２３０Ｔの弾性糸を使用し、裾部１８には、７８Ｔの弾性糸より弾性力の弱い２２Ｔの弾性糸を使用した。
【００４０】
このように、各部位１１〜１９の編み方と弾性糸Ｌ１の種類を適宜変えることで、下方主体部１１の緊締力Ｔ１、上方主体部１２の緊締力Ｔ２、緩衝部１３の緊締力Ｔ３、頂部カバー部１４の緊締力Ｔ４、ヒップアップ部１５の緊締力Ｔ５、サブヒップアップ部１６の緊締力Ｔ６、ウエストバンド部１７の緊締力Ｔ７、裾部１８の緊締力Ｔ８、及びサポート部１９の緊締力Ｔ９全ての最終的な相対的強弱関係は以下のようになっている。
Ｔ４＜Ｔ３＜Ｔ１＜Ｔ８＜Ｔ６＝Ｔ９＜Ｔ２＜Ｔ７＜Ｔ５
【００４１】
次に、各部位１１〜１９の編み方（編組織）について説明する。なお、各緊締力Ｔ１〜Ｔ９の強弱関係が分かりやすいように、緊締力の小さい順に説明する。図４，６，８，１０，１２，１４〜１６は、各部位における編パターンの模式図であり、図５，７，９，１１，１３，１７は、各部位における実際の編組織図である。なお、図４，６，８，１０，１２，１４〜１６における各枡は１つの針による編目単位を示し、同図の（Ａ）はシリンダー（表側）の編パターンを、（Ｂ）はダイアル（裏側）の編パターンをそれぞれ示す。
【００４２】
図４及び図５に、他の部位と比べて最も緊締力の弱い頂部カバー部１４の編パターン及び編組織を示す。図４，５に示されるように、頂部カバー部１４では、シリンダー及びダイアルが共に弾性糸Ｌ１と天然繊維系の糸（以下、単に天然糸と称す）Ｌ２とが交互に飛びなく編まれた総針組織となっており、いわゆるフライス編みに相当する。表側及び裏側が共に総針組織となっていることで、最も緊締力が弱い。
【００４３】
図６に緩衝部１３の編パターンを、図７に緩衝部１３の裏側からみた編組織を示す。図６（Ａ）に示すように、緩衝部１３ではシリンダーが総針で編まれている。一方、図６（Ｂ）及び図７に示すように、ダイアルは、天然糸Ｌ２の一部が１目飛びで編まれており、天然糸Ｌ２が主として表面に現れる。これは、片袋編みとフライス編みとを合わせたような組織となる。天然糸Ｌ２の一部が１目引き上げられた編組織となっていることで、頂部カバー部１４よりも緊締力が強くなる。なお、緩衝部１３の表側編組織は、図５に示す頂部カバー部１４の編組織と同じである。
【００４４】
図８に下方主体部１１の編パターンを、図９に下方主体部１１の裏側から見た編組織を示す。図８（Ａ）に示すように、下方主体部１１ではシリンダーが総針で編まれている。一方、図８（Ｂ）及び図９に示すように、ダイアルでは弾性糸Ｌ１が選針されず天然糸Ｌ２のみが編み込まれ、下方主体部１１の裏側には天然糸Ｌ２のみが現れる。また、各天然糸Ｌ２は全て１目飛びで編まれている。このように、下方主体部１１では裏側に弾性糸Ｌ１が編まれておらず、かつ天然糸Ｌ２が全て１目引き上げられた編組織となっていることで、緩衝部１３よりも緊締力が強くなる。なお、下方主体部１１の表側編組織は、図５に示す頂部カバー部１４の編組織と同じである。
【００４５】
図１０に裾部１８の編パターンを、図１１にその編組織を示す。図１０，１１に示すように、裾部１８では表裏の編組織が同じであり、弾性糸Ｌ１と天然糸Ｌ２とが１目飛びで編み込まれている。この編組織によれば、基本的には裾部１８の緊締力Ｔ８は下方主体部１１の緊締力Ｔ１よりも大幅に強くなるが、当該裾部１８には他の部位で使用した弾性糸よりも弾性力の弱い（細い）２２Ｔの弾性糸に切り替えて編成しているので、相対的な各緊締力Ｔ１〜Ｔ９の強弱関係でいえば、結果として下方主体部１１に次いで緊締力が強い程度となっている。なお、裾部１８には細い弾性糸Ｌ１を使用しているので、当該裾部１８の裏側には天然糸Ｌ２が主体的に現れる。
【００４６】
本実施例では、サブヒップアップ部１６とサポート部１９とは同じ編組織及び緊締力としている。図１２に、サブヒップアップ部１６及びサポート部１９の編パターンを示す。図１３に、サブヒップアップ部１６及びサポート部１９の表側の編組織を示す。図１２（Ｂ）に示すように、サブヒップアップ部１６及びサポート部１９では、ダイアルが総針で編まれている。一方、図１２（Ａ）に示すように、サブヒップアップ部１６及びサポート部１９では、シリンダーによって弾性糸Ｌ１が２目飛びで編み込まれている。このように、弾性糸Ｌ１が２目引き上げられた編組織となっていることで、サブヒップアップ部１６及びサポート部１９の緊締力Ｔ６，Ｔ９は下方主体部１１や裾部１８の緊締力Ｔ１やＴ８よりも強くなる。なお、サブヒップアップ部１６及びサポート部１９の裏側編組織は、図５に示す頂部カバー部１４の編組織と同じである。また、サブヒップアップ部１６及びサポート部１９では、表側には弾性糸Ｌ１が主として現れるが、裏側では弾性糸Ｌ１と天然糸Ｌ２との現出量は同等である。
【００４７】
図１４に、上方主体部１２の編パターンを示す。図１４に示されるように、上方主体部１２では、表裏共にサブヒップアップ部１６及びサポート部１９の表側と同じ編組織となっている。サブヒップアップ部１６及びサポート部１９では表側のみが弾性糸Ｌ１が２目飛びで編み込まれていることに対し、上方主体部１２では表裏共に弾性糸Ｌ１が２目飛びで編み込まれていることで、上方主体部１２はサポート部１９等よりも緊締力が強くなっている。なお、上方主体部１２の表裏編組織は、サポート部１９等の表側の編組織と同じである。また、上方主体部１２の裏側は、弾性糸Ｌ１が２目飛びで編まれていることで、弾性糸Ｌ１が主として現れる。
【００４８】
図１５に、ウエストバンド部１７の編パターンを示す。図１５からも明らかなように、ウエストバンド部１７の編パターンは、図１０に示す裾部１８の編パターンと同じであり、ウエストバンド部１７の編組織も、図１１に示す裾部１８の編組織と同じである。したがって、編組織に基づく緊締力はウエストバンド部１７と裾部１８とで同じであるが、ウエストバンド部１７では、他の部位に使用した弾性糸よりも弾性力の強い（太い）２３０Ｔの弾性糸に切り替えて編成している。これにより、ウエストバンド部１７の緊締力Ｔ７は、上方主体部１２の緊締力Ｔ２よりも強くなっている。
【００４９】
図１６に、他の部位に比べて最も緊締力の強いヒップアップ部１５の編パターンを示す。図１７に、ヒップアップ部１５の表側からみた編組織を示す。図１６（Ａ）及び図１７に示すように、ヒップアップ部１５の表側は、シリンダーによって弾性糸Ｌ１が２列に対し天然糸Ｌ２が１列編み込まれている。なお、弾性糸Ｌ１と天然糸Ｌ２とは、共に１目飛びで編まれている。ヒップアップ部１５の裏側は、図１６（Ｂ）に示すように、ダイアル総針であり、図５に示す頂部カバー部１４の編組織と同じである。このように、ヒップアップ部１５では、１目飛ばしの弾性糸Ｌ１の編み列が他の部位の２倍存在することにより、最も緊締力が強くなっている。また、ヒップアップ部１５でも、表側には弾性糸Ｌ１が主として現れるが、裏側では弾性糸Ｌ１と天然糸Ｌ２との現出量は同等である。
【００５０】
このような複数種の編組織を有するパンツ本体１は、まず、丸編機によって筒状に編成する。このとき、ダイアル及びシリンダーの選針を適宜変更することで、異なる編組織や太さの異なる糸を使用した複数種の組織が連続したシームレスな立体構造として編成できる。その後、この筒状体の一端部において前後１箇所ずつに切れ目を入れ、この切れ目にマチを当てて縫合わせてマチ部２０とすることで得られる。パンツ本体１を全体的に見れば、綿４５％、ナイロン４０％、ポリウレタン１５％となっており、従来からの一般的なパンツ用生地と同様である。
【００５１】
次に、育成パンツ１を着用した際の作用について説明する。図３に示されるように、パンツ本体１は全体的に伸縮性（緊締力）を有することで、着用者の身体にフィットする。しかし、この場合でも、頂部カバー部１４だけは予めたるみを有する大きさに形成されていることで、当該頂部カバー部１４と着用者のヒップとの間にはある程度の空間的ないし圧力的余裕があり、頂部カバー部１４がヒップに密接することがない。これにより、頂部カバー部１４は子供の成長に伴うヒップの成長を許容でき、ヒップの成長が阻害されることなく良好にヒップが形成される。
【００５２】
同時に、左右のヒップは、それぞれ強い緊締力を有するヒップアップ部１５によって個々に上方へ吊り上げられているので、ヒップが垂れることなく綺麗なヒップラインが形成される。また、ヒップアップ部１５の下縁からも前身頃２に掛けてサプヒップアップ部１６が形成されているので、左右側方からも補助的な上方吊り上げ効果がある。上方主体部１２の緊締力Ｔ２は下方主体部１１の緊締力Ｔ１よりも強いことにより、腰周辺からもヒップアップ効果を保持しながら、太腿周辺は締め付け感が弱く動きやすくなっている。
【００５３】
一方、前身頃２の左右中央部は緊締力の弱い下方主体部１１で構成されていると共に、ウエストバンド部１７の上下幅寸法Ｈ２も小さくなっているので、下腹部に対する締め付け力が小さく、子供の下腹部があまり圧迫されないようになっている。そのうえで、前身頃２の左右中央部にある下方主体部１１がサポート部１９で囲まれていることで、パンツ本体１の保形性が保たれてメリハリが出ると共に、子供の出っ張った下腹部の肉が太腿の方へ垂れることも防がれる。このように、本実施例の育成パンツ１は、成長過程にある子供の体格及びヒップ形成に的確に合致する構成となっている。また、パンツ本体１は、着用者の肌に当たる裏面には天然繊維系の糸Ｌ２が主として現れるように編まれているので、従来からある一般的な綿製のパンツに近い風合い（肌触り）で着用することができる。
【００５４】
なお、上記実施例では、ダイアルとシリンダーとを使用したダブル編みとしたが、各部位の相対的な緊締力の強弱関係が保たれる限り、シリンダー針とシンカーとを使用したシングル編みとしてもよい。ダブル編みの方が、編組織や図柄などのバリエーションが広がる点で好ましい。
【図面の簡単な説明】
【００５５】
【図１】育成パンツの正面図である。
【図２】育成パンツの背面図である。
【図３】育成パンツを着用した状態の側面図である。
【図４】頂部カバー部の編パターン図である。
【図５】頂部カバー部の表裏編組織図である。
【図６】緩衝部の編パターン図である。
【図７】緩衝部の裏編組織図である。
【図８】下方主体部の編パターン図である。
【図９】下方主体部の裏編組織図である。
【図１０】裾部の編パターン図である。
【図１１】裾部の表裏編組織図である。
【図１２】サブヒップアップ部及びサポート部の編パターン図である。
【図１３】サブヒップアップ部及びサポート部の表編組織図である。
【図１４】上方主体部の編パターン図である。
【図１５】ウエストバンド部の編パターン図である。
【図１６】ヒップアップ部の編パターン図である。
【図１７】ヒップアップ部の表編組織図である。
【符号の説明】
【００５６】
１  パンツ本体
２  前身頃
３  後身頃
１１  下方主体部
１２  上方主体部
１３  緩衝部
１４  頂部カバー部
１５  ヒップアップ部
１６  サブヒップアップ部
１７  ウエストバンド部
１８  裾部
１９  サポート部
２０  マチ部
Ｌ１  弾性糸
Ｌ２  天然糸
Ｈ２  前身頃の左右中央部のウエストバンド部の上下幅寸法
Ｈ３  後身頃の左右中央部のウエストバンド部の上下幅寸法
Ｔ１  下方主体部の緊締力
Ｔ２  上方主体部の緊締力
Ｔ３  緩衝部の緊締力
Ｔ４  頂部カバー部の緊締力
Ｔ５  ヒップアップ部の緊締力
Ｔ６  サブヒップアップ部の緊締力
Ｔ７  ウエストバンド部の緊締力
Ｔ８  裾部の緊締力
Ｔ９  サポート部の緊締力
【図１】
2010084305.tif 000003
【図２】
2010084305.tif 000004
【図３】
2010084305.tif 000005
【図４】
2010084305.tif 000006
【図５】
2010084305.tif 000007
【図６】
2010084305.tif 000008
【図７】
2010084305.tif 000009
【図８】
2010084305.tif 000010
【図９】
2010084305.tif 000011
【図１０】
2010084305.tif 000012
【図１１】
2010084305.tif 000013
【図１２】
2010084305.tif 000014
【図１３】
2010084305.tif 000015
【図１４】
2010084305.tif 000016
【図１５】
2010084305.tif 000017
【図１６】
2010084305.tif 000018
【図１７】
2010084305.tif 000019